(57)【要約】【課題】外壁に優れた作業性で取り付けられる引込口カバーを提供する。【解決手段】引込口カバー３０は、ケーブル引込口が形成され且つ表面に溝を有する外壁に取り付けられる。引込口カバー３０は、外壁のケーブル引込口を覆うように配置されるカバー本体３１と、カバー本体３１に結合して設けられ、引込口カバー３０の落下を阻止するように外壁の溝に掛かる溝掛かり部３２とを有する。【選択図】図４
2020072615.tif 000002
【特許請求の範囲】
【請求項１】
ケーブル引込口が形成され且つ表面に溝を有する外壁に取り付けられる引込口カバーであって、
前記外壁の前記ケーブル引込口を覆うように配置されるカバー本体と、
前記カバー本体に結合して設けられ、前記引込口カバーの落下を阻止するように前記外壁の前記溝に掛かる溝掛かり部と、
を有する引込口カバー。
【請求項２】
請求項１に記載された引込口カバーにおいて、
前記溝掛かり部が、前記外壁の前記溝に嵌まって掛かるように形成されている引込口カバー。
【請求項３】
請求項２に記載された引込口カバーにおいて、
前記溝掛かり部が、前記外壁の前記溝に嵌まって両側の溝側面に接触するように形成されている引込口カバー。
【請求項４】
請求項３に記載された引込口カバーにおいて、
前記溝掛かり部が、前記外壁の前記溝の両側の溝側面を弾性的に押す弾性変形部材で形成されている引込口カバー。
【請求項５】
ケーブル引込口が形成され且つ表面に溝を有する外壁と、
前記外壁に前記ケーブル引込口を覆うように取り付けられた引込口カバーと、
前記引込口カバーから導入されて前記外壁の前記ケーブル引込口に引き込まれたケーブルと、
を備えたケーブル引込構造であって、
前記引込口カバーが、前記外壁の前記ケーブル引込口を覆うように配置されたカバー本体と、前記カバー本体に結合して設けられ前記引込口カバーの落下を阻止するように前記外壁の前記溝に掛かった溝掛かり部とを有するケーブル引込構造。
【請求項６】
ケーブル引込口が形成され且つ表面に溝を有する外壁と、
前記外壁に前記ケーブル引込口を覆うように取り付けられた引込口カバーと、
前記引込口カバーを覆うように設けられた複数の太陽電池モジュールで形成された太陽電池壁と、
前記太陽電池壁に電気的に接続されるとともに前記引込口カバーから導入されて前記外壁の前記ケーブル引込口に引き込まれたケーブルと、
を備えた太陽電池モジュール設置構造であって、
前記引込口カバーが、前記外壁の前記ケーブル引込口を覆うように配置されたカバー本体と、前記カバー本体に結合して設けられ前記引込口カバーの落下を阻止するように前記外壁の前記溝に掛かった溝掛かり部とを有する太陽電池モジュール設置構造。
【発明の詳細な説明】
【技術分野】
【０００１】
本発明は、引込口カバー並びにそれを用いたケーブル引込構造及び太陽電池モジュール設置構造に関する。
【背景技術】
【０００２】
屋根に設置した太陽電池の出力ケーブルをケーブル引込口から屋内に引き込んだケーブル引込構造では、屋根のケーブル引込口から水が浸入するのを防ぐ必要がある。そこで、その対策として、例えば特許文献１及び２には、屋根のケーブル引込口を覆うように引込口カバーを取り付けることが開示されている。
【先行技術文献】
【特許文献】
【０００３】
【特許文献１】特開２０１２−２５７３５４号公報
【特許文献２】特開２０００−１７５３３５号公報
【発明の概要】
【発明が解決しようとする課題】
【０００４】
ところで、外壁に引込口カバーを取り付ける場合、位置決め等の際、引込口カバーの落下を防ぐために手で押さえておく等しなければならず、屋根に取り付ける場合と比較すると、作業性が劣るという問題がある。
【０００５】
本発明の課題は、外壁に優れた作業性で取り付けられる引込口カバーを提供することである。
【課題を解決するための手段】
【０００６】
本発明は、ケーブル引込口が形成され且つ表面に溝を有する外壁に取り付けられる引込口カバーであって、前記外壁の前記ケーブル引込口を覆うように配置されるカバー本体と、前記カバー本体に結合して設けられ、前記引込口カバーの落下を阻止するように前記外壁の前記溝に掛かる溝掛かり部とを有する。
【０００７】
本発明は、ケーブル引込口が形成され且つ表面に溝を有する外壁と、前記外壁に前記ケーブル引込口を覆うように取り付けられた引込口カバーと、前記引込口カバーから導入されて前記外壁の前記ケーブル引込口に引き込まれたケーブルとを備えたケーブル引込構造であって、前記引込口カバーが、前記外壁の前記ケーブル引込口を覆うように配置されたカバー本体と、前記カバー本体に結合して設けられ前記引込口カバーの落下を阻止するように前記外壁の前記溝に掛かった溝掛かり部とを有する。
【０００８】
本発明は、ケーブル引込口が形成され且つ表面に溝を有する外壁と、前記外壁に前記ケーブル引込口を覆うように取り付けられた引込口カバーと、前記引込口カバーを覆うように設けられた複数の太陽電池モジュールで形成された太陽電池壁と、前記太陽電池壁に電気的に接続されるとともに前記引込口カバーから導入されて前記外壁の前記ケーブル引込口に引き込まれたケーブルとを備えた太陽電池モジュール設置構造であって、前記引込口カバーが、前記外壁の前記ケーブル引込口を覆うように配置されたカバー本体と、前記カバー本体に結合して設けられ前記引込口カバーの落下を阻止するように前記外壁の前記溝に掛かった溝掛かり部とを有する。
【発明の効果】
【０００９】
本発明によれば、引込口カバーの落下を阻止するように外壁の溝に掛かる溝掛かり部を有するので、外壁の溝を有効活用することにより、引込口カバーの外壁への取り付けにおいて、優れた作業性が得られる。
【図面の簡単な説明】
【００１０】
【図１】実施形態１に係る太陽電池モジュール設置構造の施工方法の第１ステップの説明図である。
【図２Ａ】外壁の縦溝及び横溝の一例の断面図である。
【図２Ｂ】外壁の縦溝及び横溝の別の一例の断面図である。
【図３】実施形態１に係る太陽電池モジュール設置構造の施工方法の第２ステップの説明図である。
【図４】実施形態１の引込口カバーの斜視図である。
【図５Ａ】実施形態１のケーブル引込構造の分解断面図である。
【図５Ｂ】実施形態１のケーブル引込構造の断面図である。
【図６】実施形態１の引込口カバーの第１変形例における溝掛かり部を含む上部の断面図である。
【図７Ａ】実施形態１の引込口カバーの第２変形例における外壁の横溝への掛かり構造を示す断面図である。
【図７Ｂ】実施形態１の引込口カバーの第３変形例における外壁の横溝への掛かり構造を示す断面図である。
【図８】実施形態１の引込口カバーの第４変形例における外壁の横溝への掛かり構造を示す断面図である。
【図９】実施形態１の引込口カバーの第５変形例における外壁の横溝への掛かり構造を示す断面図である。
【図１０】実施形態１に係る太陽電池モジュール設置構造の施工方法の第３ステップの説明図である。
【図１１Ａ】実施形態１に係る太陽電池モジュール設置構造の正面図である。
【図１１Ｂ】図１１ＡにおけるXI-XI断面図である。
【図１２】実施形態２の引込口カバーの変形例における斜視図である。
【図１３Ａ】実施形態２のケーブル引込構造の分解断面図である。
【図１３Ｂ】実施形態２のケーブル引込構造の断面図である。
【図１４】実施形態２の引込口カバーの変形例における外壁の横溝への掛かり構造を示す断面図である。
【図１５Ａ】その他の実施形態における引込口カバーの第１変形例の外壁への取付構造を示す正面図である。
【図１５Ｂ】その他の実施形態における引込口カバーの第２変形例の外壁への取付構造を示す正面図である。
【図１６Ａ】その他の実施形態における引込口カバーの第３変形例の外壁への取付構造を示す正面図である。
【図１６Ｂ】その他の実施形態における引込口カバーの第４変形例の外壁への取付構造を示す正面図である。
【発明を実施するための形態】
【００１１】
以下、実施形態について図面に基づいて詳細に説明する。
【００１２】
（実施形態１）
図１〜図１１Ａ及びＢに基づいて、実施形態１に係る太陽電池モジュール設置構造Ａ及びその施工方法を説明する。
【００１３】
ここで、まず、本出願における「太陽電池モジュール」とは、電気的に接続された複数の太陽電池セルを含み、それらが樹脂などの封止材で保護された太陽電池パネルに対して、フレーム等を付随させた製品を意味する。
【００１４】
また、以下の説明では、太陽電池モジュール１１は、住宅等の建築物の外壁２０に取り付けられることから、建築物の屋根側に向く方向を「上」又は「上側」、及び地面側に向く方向を「下」又は「下側」と称することがある。外壁２０を正面視した場合、手前側を「前側」、及びこの手前側に対する反対側を「後側」、並びに前側後側を結ぶ方向を「前後方向」と称することがある。上側下側を結ぶ方向を「縦方向」、及びこの縦方向と前後方向とにそれぞれ直交する方向を「横方向」、並びにこの横方向の一方側を「右側」、及び他方側を「左側」と称することがある。
【００１５】
これに対応して、引込口カバー３０について、外壁２０に取り付け後に建築物の屋根側に向く方向を「上側」、及び地面側に向く方向を「下側」と称することがある。引込口カバー３０を正面視した場合、手前側を「前側」、及びこの手前側に対する反対側を「後側」、並びに横方向の両側を「左右」と称することがある。
【００１６】
複数の太陽電池モジュール１１が地面側（下側）から屋根側（上側）に積み上げて多段状に配置される場合にあって、任意の２つの太陽電池モジュール１１を比較したとき、上側の太陽電池モジュール１１を「上段」の太陽電池モジュール１１、及び下側の太陽電池モジュール１１を「下段」の太陽電池モジュール１１と称することがある。
【００１７】
なお、実施形態１に係る太陽電池モジュール設置構造Ａの太陽電池壁１０は、太陽電池モジュール１１が縦方向に多段に設置されたユニットが横方向に複数列設けられたものであるが、以下では、主として、それらのうちの１ユニットの施工方法について説明する。但し、他のユニットの施工方法も基本的には同一である。
【００１８】
＜第１ステップ＞
実施形態１に係る太陽電池モジュール設置構造Ａの施工方法では、第１ステップとして、図１に示すように、住宅等の建築物の外壁２０に、屋内と屋外との間を貫通するようにケーブル通し管２１を設ける。
【００１９】
外壁２０の好適な形成材料としては、コンクリート系材料が挙げられる。外壁２０となる市販のコンクリート系材料の外壁材には、例えば積水ハウス社製のダインコンクリート（登録商標）等がある。外壁２０の形成材料としては、その他に、例えば、木質材料、金属材料、窯業系材料等も挙げられる。
【００２０】
外壁２０は、その前側の表面に、縦方向に延びる縦溝２２及び横方向に延びる横溝２３を有する。これらの縦溝２２及び横溝２３は、外壁２０となる外壁材間の目地であってよい。また、縦溝２２及び横溝２３は、外壁２０となる外壁材の表面意匠であってもよい。なお、この実施形態１では、後述の引込口カバー３０の取り付けに横溝２３を利用するので、縦溝２２は必ずしも必要ではない。
【００２１】
縦溝２２及び横溝２３の溝形状は、後述の引込口カバー３０の取り付けに利用可能であれば、特に限定されるものではないが、その利用に好適であるという観点からは、ケーブル通し管２１側の溝側面が外壁２０の壁面に対してなす角度θが直角又は鋭角であることが好ましい。具体的には、その角度θが直角である溝形状としては、例えば、図２Ａに示すような溝幅が外壁２０の前後方向に均一である矩形等が挙げられる。また、その角度θが鋭角である溝形状としては、例えば、図２Ｂに示すような溝幅が外壁２０の前後方向に前側から後側に向かうにしたがって漸次大きくなる台形等が挙げられる。なお、この実施形態１では、以下、縦溝２２及び横溝２３の溝形状が図２Ａに示すような矩形である場合について説明する。
【００２２】
ケーブル通し管２１としては、例えば、塩化ビニル管などの樹脂パイプ等が挙げられる。ケーブル通し管２１の設置は、外壁２０の施工時に行っても、外壁２０の施工後に行っても、どちらでもよい。
【００２３】
また、この第１ステップでは、引込ケーブル４０を、所定長を屋外側に垂らした状態にして、ケーブル通し管２１に通して屋内に引き込む。したがって、ケーブル通し管２１の開口がケーブル引込口２１ａである。屋外側に垂らした引込ケーブル４０は、ケーブル本体４０ａと、その先端に取り付けられたコネクタ４０ｂとを有する。このとき、引込ケーブル４０とともに接地線をケーブル通し管２１に通して屋内に引きこんでもよい。
【００２４】
さらに、この第１ステップでは、太陽電池モジュール１１を外壁２０に取り付けるための部材（モジュール取付縦軸材１２）を用いても構わない。具体的には、外壁２０の前側の表面上に、各々、縦方向に延びる複数のモジュール取付縦軸材１２を横方向に間隔をおいて取り付ける。このモジュール取付縦軸材１２の外壁２０への取り付けは、外壁２０に固定した図示しない取付部材を用いて行う。
【００２５】
＜第２ステップ＞
実施形態１に係る太陽電池モジュール設置構造Ａの施工方法では、第２ステップとして、図３に示すように、外壁２０のケーブル引込口２１ａを覆うように引込口カバー３０を取り付ける。
【００２６】
図４は、その引込口カバー３０を示す。この引込口カバー３０は、例えばメッキ鋼板で形成された薄肉板状部材であって、正面視矩形状のカバー本体３１と、その上辺部（上部）に結合して設けられた溝掛かり部３２とを有する。
【００２７】
カバー本体３１は、前側に膨出するように形成された正面視矩形状の膨出部３１１と、その上辺部及び左右両辺部に連続して膨出部３１１を、上側及び左右両側の三方向から囲うように設けられた平板部３１２とを含む。
【００２８】
膨出部３１１は、平板部３１２の上側の部分（上辺部）から前側の斜め下側に傾斜した矩形の上面部３１１ａと、これに連なり平板部３１２に対して平行な矩形の前面部３１１ｂと、平板部３１２の左右両側の各部分（左辺部・右辺部）から前面部３１１ｂおよび上面部３１１ａに向かって前側に起立した台形状の側面部３１１ｃとを含む。このような形状から、膨出部３１１は、各部で空間を遮ることで、後側及び下側が開口した空間を形成している。また、膨出部３１１の下側の開口から少し内側に入ったところには、膨出部３１１の形成する空間を外部から仕切るように、発泡ゴム等で形成された板状シール材３３が接着されて設けられている。
【００２９】
平板部３１２の周縁部には、間隔をおいてビス通し孔３１２ａが形成されている。平板部３１２の後側には、ビス通し孔３１２ａよりも内側に、膨出部３１１を上側及び左右両側の三方向から囲うように、発泡ゴム等で形成されたシート状シール材３４が接着されて設けられている。
【００３０】
溝掛かり部３２は、カバー本体３１の平板部３１２における上辺部の全長に渡って連続して後側に直角に屈曲させた板状片である。この溝掛かり部３２は、カバー本体３１と一体化して設けられているため、カバー本体３１に対して取り付け及び取り外しが不能である。
【００３１】
引込口カバー３０の外壁２０への取り付けでは、引込口カバー３０は、図５Ａ及びＢに示すように、後側が外壁２０の前側の表面に対向するように配置される。カバー本体３１の膨出部３１１が外壁２０のケーブル引込口２１ａ及びその周囲の部分を覆うとともに、その外側の部分にあたる外壁２０に、平板部３１２が対峙するように位置付けられる。そして、溝掛かり部３２が、外壁２０のケーブル引込口２１ａの上側に配置された横溝２３に、その下側の溝側面に接触するように設けられて掛けられる。これにより、カバー本体３１が外壁２０に対して吊り下げ状態となって、引込口カバー３０の落下が阻止される。
【００３２】
このようなケーブル引込構造は、図５Ａ及びＢに示すように、ケーブル引込口２１ａが形成され且つ表面に横溝２３を有する外壁２０と、その外壁２０にケーブル引込口２１ａを覆うように取り付けられた引込口カバー３０と、その引込口カバー３０から導入されて外壁２０のケーブル引込口２１ａに引き込まれた引込ケーブル４０とを備え、引込口カバー３０が、外壁２０のケーブル引込口２１ａを覆うように配置されたカバー本体３１と、カバー本体３１に結合して設けられ引込口カバー３０の落下を阻止するように外壁２０の横溝２３に掛かった溝掛かり部３２とを有するものとなる。
【００３３】
以上の引込口カバー３０によれば、上記の通り、引込口カバー３０の落下を阻止するように外壁２０の横溝２３に掛かる溝掛かり部３２を有する。そのため、引込口カバー３０の位置決め等の際、落下を防ぐために引込口カバー３０を手で押さえておく必要はなく、外壁２０の横溝２３を有効活用することにより、引込口カバー３０の外壁２０への取り付けにおいて、優れた作業性が得られる。また、このように引込口カバー３０の落下を阻止する観点からは、溝掛かり部３２の外壁２０の横溝２３への掛かり長さが長いことが好ましく、具体的には、溝掛かり部３２の長さｌは、外壁２０の横溝２３の深さｄの６０％以上であることが好ましく、８０％以上であることがより好ましい。
【００３４】
引込口カバー３０の溝掛かり部３２を外壁２０の横溝２３に掛けて取り付けた後には、ビス５１が、引込口カバー３０側から、そのカバー本体３１における平板部３１２の周縁部のビス通し孔３１２ａに通され、ドライバーにより外壁２０に締め込まれてビス頭がビス通し孔３１２ａの周縁に係る。これにより、引込口カバー３０の外壁２０への取付強度が高められる。なお、外壁２０がコンクリート系材料で形成されている場合には、ビス５１としてコンクリートビスを用いればよい。
【００３５】
引込口カバーを外壁にビスのみで取り付けた場合、振動等による外力が断続的又は継続的に作用すると、ビスによる引込口カバーの外壁への締結力が低下し、それによって引込口カバーが外壁から脱落することが懸念される。しかしながら、上記の引込口カバー３０によれば、ビス５１に加えて、溝掛かり部３２が横溝２３に掛かって外壁２０に取り付けられるので、仮に外力が作用しても、その溝掛かり部３２による外壁２０への取付強度への影響は小さく、それにより長期信頼性が担保される。
【００３６】
また、このとき、板状シール材３３が引込ケーブル４０を囲うように弾性変形しつつ膨出部３１１の下側の開口を封じるとともに、シート状シール材３４が引込口カバー３０と外壁２０との間で圧縮されて膨出部３１１の上側及び左右両側を封じる。これにより、膨出部３１１内のケーブル通し管２１のケーブル引込口２１ａからの水の浸入が防止される。
【００３７】
ビス５１の締め込みの後には、防水テープ５２が、引込口カバー３０の上辺部及び左右両辺部に沿って、引込口カバー３０と外壁２０とを掛け渡すとともに、引込口カバー３０側でビス５１を覆うように貼り付けられる。これにより、膨出部３１１内の防水性がより高められる。防水テープ５２としては、例えば、支持フィルムの一方側の面にアクリル系粘着剤組成物の粘着剤層が設けられたもの等が挙げられる。なお、防水テープ５２ビス５１に代えて、シリコーン系材料のシーリング材を用いてもよい。
【００３８】
なお、引込口カバー３０は、外壁２０への取付強度を高める観点から、図６に示すように、溝掛かり部３２がカバー本体３１に対して鋭角を形成するように折り返され、外壁２０の横溝２３に掛けられたときに、図５Ｂに示すように、溝掛かり部３２がカバー本体３１の自重により弾性変形して下側の溝側面に接触してもよい（すなわち、溝掛かり部３２は弾性変形部材で形成されていてもよい）。
【００３９】
また、引込口カバー３０は、外壁２０への取付強度を高める観点から、図７Ａに示すように、溝掛かり部３２がカバー本体３１に対して鋭角を形成するように折り返され、その先端が外壁２０の横溝２３の下側の溝側面に接触し、先端に応力が集中して掛かってもよい。このような引込口カバー３０は、引込口カバー３０自身を肉厚に形成する、又は、高弾性材料で形成することにより得られる。引込口カバー３０は、同様の観点から、図７Ｂに示すように、溝掛かり部３２の先端が折り返され、その先端が外壁２０の横溝２３の溝側面に接触し、先端に応力が集中して掛かってもよい。これらの溝掛かり部３２の先端は、ノコギリ歯形状等の溝側面に食い込む形状に形成されていてもよい。
【００４０】
また、引込口カバー３０は、外壁２０への取付強度を高める観点から、図８に示すように、溝掛かり部３２の溝側面との接触側表面に、ゴムシート等の高摩擦係数材３５が接着されていてもよい。
【００４１】
また、引込口カバー３０は、外壁２０への取付強度を高める観点から、図９に示すように、カバー本体３１及び溝掛かり部３２とは別体の溝嵌め入れ部材３６を更に有し、この溝嵌め入れ部材３６が、溝掛かり部３２が掛けられた外壁２０の横溝２３の残余空間、すなわち、横溝２３における溝掛かり部３２よりも上側の空間に嵌め入れられ、溝掛かり部３２を下側の溝側面との間で挟んで固定してもよい。溝嵌め入れ部材３６は、金属等の剛体で形成されていても、ゴム等の弾性体で形成されていても、どちらでもよい。この場合、引込口カバー３０の外壁２０への取付強度が非常に高くなるので、ビス５１による取り付けが必ずしも必要でない。ビス５１による取り付けがなければ、引込口カバー３０の取り外しが容易となり、それにより優れたメンテナンス性が得られる。
【００４２】
＜第３ステップ＞
実施形態１に係る太陽電池モジュール設置構造Ａの施工方法では、第３ステップとして、図１０に示すように、最下段の一段目及び二段目の太陽電池モジュール１１を設置する。
【００４３】
具体的には、まず、横方向に隣接する一対のモジュール取付縦軸材１２の下端部間に、それらを連結するようにモジュール取付横軸材１３を取り付ける。次いで、そのモジュール取付横軸材１３で下辺部を支持するように最下段の一段目の太陽電池モジュール１１を設置する。
【００４４】
また、一対のモジュール取付縦軸材１２間に、それらを連結するとともに、下段の一段目の太陽電池モジュール１１の上辺部を覆うように、別のモジュール取付横軸材１３を取り付ける。これにより、一段目の太陽電池モジュール１１が前後方向の変位が規制された状態で固定される。次いで、そのモジュール取付横軸材１３で下辺部を支持するように上段の二段目の太陽電池モジュール１１を設置とともに、一段目の太陽電池モジュール１１とのケーブル接続を行う。
【００４５】
＜第４ステップ＞
実施形態１に係る太陽電池モジュール設置構造Ａの施工方法では、第４ステップとして、図１１Ａに示すように、第３ステップと同様に、モジュール取付横軸材１３の取り付けと太陽電池モジュール１１の設置及びケーブル接続とを繰り返し、最上段の太陽電池モジュール１１を設置した後、その上辺部を覆うように、最後のモジュール取付横軸材１３を取り付けることにより、複数の太陽電池モジュール１１が縦方向及び横方向にそれぞれ並ぶように配設された太陽電池壁１０が完成する。そして、図１１Ｂに示すように、この太陽電池壁１０から後側に延びた出力ケーブル１４のケーブル本体１４ａの先端のコネクタ１４ｂを、屋外に露出した引込ケーブル４０のケーブル本体４０ａの先端のコネクタ４０ｂに接続し、これにより太陽電池壁１０を引込ケーブル４０に電気的に接続する。
【００４６】
以上の施工により完成する実施形態１に係る太陽電池モジュール設置構造Ａは、図５Ａ及びＢ並びに図１１Ａ及びＢに示すように、ケーブル引込口２１ａが形成され且つ表面に横溝２３を有する外壁２０と、その外壁２０にケーブル引込口２１ａを覆うように取り付けられた引込口カバー３０と、その引込口カバー３０を覆うように設けられた複数の太陽電池モジュール１１で形成された太陽電池壁１０と、その太陽電池壁１０に電気的に接続されるとともに引込口カバー３０から導入されて外壁２０のケーブル引込口２１ａに引き込まれた引込ケーブル４０とを備え、引込口カバー３０が、外壁２０のケーブル引込口２１ａを覆うように配置されたカバー本体３１と、カバー本体３１に結合して設けられ引込口カバー３０の落下を阻止するように外壁２０の横溝２３に掛かった溝掛かり部３２とを有するものとなる。
【００４７】
このような実施形態１に係る太陽電池モジュール設置構造Ａでは、太陽電池壁１０が外壁２０に取り付けられた引込口カバー３０を覆うように設けられているので、引込口カバー３０が露出せず、そのため優れた意匠性が得られる。
【００４８】
また、このメンテナンスにおいては、引込口カバー３０を覆う部分の太陽電池モジュール１１を取り外すとともに、引込口カバー３０を一旦取り外し、修理後、引込口カバー３０を再度取り付ける。このとき、外壁２０と太陽電池壁１０との隙間に引込口カバー３０を落下させてしまう事態が発生することが想定される。その場合、引込口カバー３０を回収する必要があるが、引込口カバー３０の取り付け位置が高いと、外壁２０から太陽電池壁１０までの最大隙間Ｌが２００ｍｍ以下と狭い場合、上から引込口カバー３０を引き上げて回収する作業は困難を伴い、また、その最大隙間Ｌが５０ｍｍ以下と更に狭い場合には、上から引込口カバー３０を引き上げて回収することはほとんど不可能である。しかしながら、実施形態１に係る太陽電池モジュール設置構造Ａによれば、引込口カバー３０が外壁２０の横溝２３に掛かる溝掛かり部３２を有するので、再取り付け時に、まず溝掛かり部３２を外壁２０の横溝２３に掛けることにより、引込口カバー３０の落下が回避されることとなり、そのため優れたメンテナンス性が得られる。
【００４９】
（実施形態２）
図１２は、実施形態２に係る太陽電池モジュール設置構造Ａ及びその施工方法で用いる引込口カバー３０を示す。なお、実施形態１と同一名称の部分は、実施形態１と同一符号で示す。また、方向の規定方法も実施形態１と同一である。
【００５０】
この引込口カバー３０では、溝掛かり部３２は、カバー本体３１の上辺部（上部）に結合して設けられている。溝掛かり部３２は、カバー本体３１の平板部３１２における上辺部の全長に渡って連続する板状片が、後側に屈曲した後に折り返されて前側に延びた断面Ｕ字状の板バネである。この溝掛かり部３２は、カバー本体３１と一体化して設けられており、したがって、カバー本体３１に対して取り付け及び取り外しが不能である。
【００５１】
引込口カバー３０の外壁２０への取り付けでは、引込口カバー３０は、図１３Ａ及びＢに示すように、後側が外壁２０の前側の表面に対向するように配置される。カバー本体３１の膨出部３１１が外壁２０のケーブル引込口２１ａ及びその周囲の部分を覆うとともに、その外側の部分にあたる外壁２０に、平板部３１２が対峙するように位置付けられる。そして、溝掛かり部３２が、外壁２０のケーブル引込口２１ａの上側に配置された横溝２３に、断面Ｕ字状の板バネの開口が狭まるように嵌め入れられる。すなわち、溝掛かり部３２が、外壁２０の横溝２３に嵌まって掛かるとともに、外壁２０の横溝２３に嵌まって両側の溝側面に接触するように形成され、且つ外壁２０の横溝２３の両側の溝側面を弾性的に押す。これにより、カバー本体３１が外壁２０に対して吊り下げ状態となって、引込口カバー３０の落下が阻止される。
【００５２】
実施形態２に係る太陽電池モジュール設置構造Ａで用いる上記引込口カバー３０は、外壁２０への取付強度が非常に高くなるので、ビス５１による取り付けが必ずしも必要でない。ビス５１による取り付けがなければ、引込口カバー３０の取り外しが容易となり、それにより優れたメンテナンス性が得られる。
【００５３】
なお、引込口カバー３０は、外壁２０への取付強度を高める観点から、図１４に示すように、カバー本体３１及び溝掛かり部３２とは別体の溝嵌め入れ部材３６を更に有し、この溝嵌め入れ部材３６が、溝掛かり部３２が掛けられた外壁２０の横溝２３の残余空間、すなわち、溝掛かり部３２の開口内の空間に嵌め入れられ、溝掛かり部３２を上側及び下側のそれぞれの溝側面との間で挟んで固定してもよい。溝嵌め入れ部材３６は、金属等の剛体で形成されていても、ゴム等の弾性体で形成されていても、どちらでもよい。
【００５４】
その他の構成及び作用効果は実施形態１と同一である。
【００５５】
（その他の実施形態）
上記実施形態１及び２における引込口カバー３０では、カバー本体３１の上辺部に、その全長に渡って単一の溝掛かり部３２が結合して設けられていたが、特にこれに限定されるものではなく、図１５Ａに示すように、カバー本体３１の上辺部の一部分に溝掛かり部３２が結合して設けられていてもよく、また、図１５Ｂに示すように、カバー本体３１の上辺部に複数の溝掛かり部３２が間隔をおいて結合して設けられていてもよい。
【００５６】
また、上記実施形態１及び２における引込口カバー３０では、カバー本体３１の上辺部に溝掛かり部３２が結合して設けられ、カバー本体３１が外壁２０に対して吊り下げ状態となって、引込口カバー３０の落下が阻止されていたが、特にこれに限定されるものではなく、図１６Ａに示すように、カバー本体３１の左右両辺部に溝掛かり部３２が結合して設けられ、それらがそれぞれ外壁２０の対応する縦溝２２に掛かって縦溝２２間の部分を挟んで保持した状態となって、引込口カバー３０の落下が阻止されてもよい。また、図１６Ｂに示すように、引込口カバー３０のカバー本体３１の上辺部及び左右両辺部に溝掛かり部３２が結合して設けられてもよい。
【００５７】
また、上記実施形態１及び２における引込口カバー３０では、溝掛かり部３２がカバー本体３１と一体化して設けられることで、溝掛かり部３２がカバー本体３１に対して取り付け及び取り外しが不能としていたが、特にこれに限定されるものではなく、溝掛かり部がカバー本体に対して取り付け及び取り外しが可能に結合して設けられても構わない。このようになっていれば、外壁２０の縦溝２２又は横溝２３に対応させた溝掛かり部の位置変更が可能となる。
【００５８】
また、上記実施形態１及び２では、太陽電池モジュール設置構造Ａにおける引込口カバー３０を用いたケーブル引込構造としたが、特にこれに限定されるものではなく、その他の屋外機器のケーブルを屋内に引き込むケーブル引込構造であってもよい。
【符号の説明】
【００５９】
Ａ  太陽電池モジュール設置構造
１０  太陽電池壁
１１  太陽電池モジュール
２０  外壁
２１ａ  ケーブル引込口
２２  縦溝
２３  横溝
３０  引込口カバー
３１  カバー本体
３２  溝掛かり部
４０  引込ケーブル
【図１】
2020072615.tif 000003
【図２Ａ】
2020072615.tif 000004
【図２Ｂ】
2020072615.tif 000005
【図３】
2020072615.tif 000006
【図４】
2020072615.tif 000007
【図５Ａ】
2020072615.tif 000008
【図５Ｂ】
2020072615.tif 000009
【図６】
2020072615.tif 000010
【図７Ａ】
2020072615.tif 000011
【図７Ｂ】
2020072615.tif 000012
【図８】
2020072615.tif 000013
【図９】
2020072615.tif 000014
【図１０】
2020072615.tif 000015
【図１１Ａ】
2020072615.tif 000016
【図１１Ｂ】
2020072615.tif 000017
【図１２】
2020072615.tif 000018
【図１３Ａ】
2020072615.tif 000019
【図１３Ｂ】
2020072615.tif 000020
【図１４】
2020072615.tif 000021
【図１５Ａ】
2020072615.tif 000022
【図１５Ｂ】
2020072615.tif 000023
【図１６Ａ】
2020072615.tif 000024
【図１６Ｂ】
2020072615.tif 000025